(57)【要約】【目的】手軽に持ち運びでき、手軽に空圧を得、１秒、２秒の短時間で事態に対応でき、自由自在に減圧、加圧スプレイ可態装置を提供するので、少隙間のゴミ掃除から火事防止及び物体の冷却等多くに使用できるものを提供する。今迄、科学技術の進歩ということから、地球を汚したガスボンベイ、スプレイ等を変えていく。【構成】本発明は、指先自由に加圧機構を操作と、特殊な逆止弁により達成できた。さらに、真空タイプの図６は小さく、真空ポンプのない場所で、異物移動できる装置として提供する。部品材質は、再利用可品を使用。非常に単純な構成で前述の通り。【選択図】図２
2005193921.tif 000002
【特許請求の範囲】
【請求項１】
ゴム、樹脂、布及び金属等で、薄肉ベロー、薄肉で弾力性に富む握りやすい小型卵形状に弱い力で、１秒以下で１回の操作ができる０．６５〜１ｋｇ／ｃｍ２の圧縮空気を得る構造と約１０ｍｌ以上を貯える、樹脂、金属、ゴム布、容器を造り、その双方を接続、機能する逆止弁を介在させ、動物の指先で必要時、必要な質量空気圧を確保できる装置の上部に自由に０．１秒〜１０秒でタンク内部の気液体を放出できるプッシュノズルを設けた自加圧、自由放出スプレイ装置。そして、液体のスプレイの必要時、液注入口（Ｅ）から注液しておくと空気と共に液もスプレイできる装置。
【請求項２】
請求項１の逆止弁を反対働きに設け、加圧発生部を真空発生用ベローゴム、樹脂にし、フィルター付吸口の寸法を太くし、プッシュボタンを作動して小物を吸い込み、ボタンを離し、ゴミ、小物等を吸込品を別の容器に移すもの。片手操作で可能なバキューム装置。
【発明の詳細な説明】
【発明の詳細な説明】
【産業上の利用分野】
【０００１】本発明は、環境及び防災産業等多くあるが、特にコンピューター産業及び防火産業に関する。電子機器、パンコン等ゴミ飛ばし、ゴミバキューム、機械加工屑飛ばし、消火剤等自分の息で飛ばしきれなかった埃、ゴミ屑掃除用。油焼の初期消火装置。指火傷等の水噴射装置の他、小物部品供給バキューム等の携帯用スプレイノズル及びバキューム装置。
【背景技術】
【０００２】１）塗料、化粧水、切削水等加圧ボンベ付スプレイ及びバキュームノズル。
２）消火器等長期保存用ボンベは、数多くあった。
３）手押し式ピストン付ガスバーナボンベ等も数多くあったが、工業用として複雑構造の大型のみであった。
以上の通り、従来小型の簡単なものはなく、簡単なものはすべて加圧ガス等が入れてあり、そのガス圧力でプッシュボタンノズルを押すと、自動で内容物が噴射される仕組みになっている。この発明のスプレイ及びバキュームノズルは、必要時のみ自身で必要量、手指の力で加圧できるよう、指の加圧機構を簡単装置で設け、必要加圧気液を自分で製作し、中のタンクに貯え必要時必要量、安全な一般空気を吸入し、ノズルで噴射するもの。事務機器、レンズ、眼鏡、その他の掃除。
突如、必要な火消し及び冷却等、消化液を入れたり、水を入れたりして数秒以内で加圧、噴射。必要時に使用できる装置で、主として約１秒〜数十秒で操作できるのが特長である。
【発明が解決しようとする課題】
【０００３】従来の、スプレイノズルの欠点であった下記を解決する。
１．加圧ガス封入を止め、大気を使う。
２．必要なスプレイ量、時間は自分で決め、全手動方式がよい。
【課題を解決するための手段】
【０００４】  この発明は、自身で必要時、必要質量加圧し、自身で手軽に空気その他を好きなだけスプレイできる装置。
一般のスプレイボンベのように、窒素、その他のガスを予め封入された物でなく、自身で加圧部を操作し、大気を吸収し、０．０５〜１ｋｇ／ｃｍ２に加圧でき、スプレイできるスプレイ及びバキュームノズル。
また、ゴミや部品を吸取り、移動するためのバキュームは、３００ＨＧで充分。逆止弁向きを逆にした。
【作用】
【０００５】  タンク（Ｃ）に空気圧０．１〜１０ｋｇ／ｃｍ２を貯えることのできる簡単手動式ポンプ（１）を操作して得た空気圧０．１〜１．０ｋｇ／ｃｍ２のタンクから、天井につけたプッシュボタンを押し、ノズル孔から必要量の空気力を放出し、ゴミ取り掃除等多くの作業ができるもの。
【実施例】
【０００６】  図１は、ゴムベローズ（１）の中にプラスチック製の圧力タンク（Ｃ）を入れ、プッシュノズル（Ａ）を押すと中からエアーが矢印の通り出て吹き付けるため、器具の埃を飛ばしきれいに保つ。
圧力タンクの中に空圧を貯えるため、プッシュノズルの外側を指で数回下へ押すと、逆止弁から進入した気体は内部へ進入し０．５ｋｇ／ｃｍ２を１．５秒で得たので、数回の噴射を可能とした。逆止弁座はゴム製で、シール効果を向上した。
図２は、ゴム製の水平方向潰し方式、操作リング（１）の中に金属製の圧力タンク（Ｃ）の上端に押しバルブ（Ｂ）と下部に逆止弁（Ｄ）を設け、指圧で１秒畜空（０．１〜１．０ｋｇ／ｃｍ２）されたものは、プッシュノズル（Ａ）を押すことで図１と同じ働きとなる。指が中の圧力タンクと接触するまで押すと、約２５０ｍｌ以上の貯えは２秒以下の噴射で６秒以上の長時間可能となった。
図３は、小径の卵形ゴム（１）を押し潰すように数回作動すると圧力タンク（Ｃ）内には０．３ｋｇ／ｃｍ２以上の空圧が貯えられ、プッシュノズル（Ａ）を押すと強く噴射した。握りは極小型でもタンク内は、約２００ｍｌ容量で高圧として１ｋｇ／ｃｍ２まで可となった。押し潰し力が弱いため、子供でも使用できた。
図４は、図３のものでゴムチューブ（２）付で柔軟に動くため、卵を水平作動加圧操作は良いが、プッシュと２本の手を必要とした。
図５は、中心部にシリンダーを持つ圧力タンク（Ｃ）の中にピストン型の操作ピストン（１）を押し込むと、タンク内の空圧は０．５ｋｇ／ｃｍ２以上に上昇するため、プッシュノズルは数回噴射可能。
タンク（Ｃ）は薄板０．２ｔの締り品、ピストン（１）はプラスチック製、逆止弁他の弁はすべて前求と同じ。
図６は、図２の構成と近似であるが真空を得るため、逆止弁（Ｄ）を逆にし、ノズルのチューブを図と比較し、太く吸い込みやすくした。外周ゴムの絞りを１秒に数回行うと、真空圧３００ｇがタンクに完了するためゴミを含め小物品を吸込み、移動するもの、ポケットに入る携帯用として、ポケット内のゴミ取り、指先などの入らない溝内の異物移動に適す。
【発明の効果】
【０００７】  以上の通り、非常に手軽に指先動作で空圧を得ることが可のため、フロン、窒素等、ガスを封入タイプスプレイガンに比べ、安価で安全、無害である。さらに、指先の疲労もなく省エネのため、長期保存可となる他下記の用途にも良い。
１．消化液を少量注入しておくと、急な事故の際、１秒以下の加圧操作で２〜３秒で火を消すことが可能。
２．薬液、殺菌、水虫散布等少量で良い物に適する。
３．化粧水等少量タンク内に液中することで、ポケット簡易スプレイとして使用。等、機械のゴミ飛ばし掃除以外にも便利で小型化して携行し、眼鏡、カメラ、レンズの掃除等も有効となった。
さらに、ゴム、プラスチック等、再成品使用による効果も大。
【図面の簡単な説明】
【図１】本発明の指で垂直方向捺し式エアースプレイの正面構成図。
【図２】胴体を指で水平方向締め式エアースプレイの正面構成図。
【図３】卵形のつまみを手の平に囲み潰し式エアースプレイの側面構成図。
【図４】図３の平面図。
【図５】シリンダー内蔵式エアースプレイの正面構成図。
【図６】本発明のバキュームノズルの正面一部断面図。
【符号の説明】
Ａ  プッシュノズル                        Ａ’太チューブ付プッシュボタン
Ｂ  押しバルブ                            Ｂ’押しバルブ
Ｃ  圧力タンク                            Ｃ’真空タンク
Ｄ、Ｄ’  逆止弁                          Ｅ  液注バルブ
１  ゴムベローズ、操作リング、ピストン    ２  ゴムチューブ
３  シールリング
【図１】
2005193921.tif 000003
【図２】
2005193921.tif 000004
【図３】
2005193921.tif 000005
【図４】
2005193921.tif 000006
【図５】
2005193921.tif 000007
【図６】
2005193921.tif 000008